(57)【要約】  本発明の携帯端末装置（１００）は、設定値の切り替えが有効か又は無効かに関する第１の判定処理と現在の設定値に関する第２の判定処理とを行う判定処理手段（１２０）と、画面を表示する表示手段と、第１の判定処理で有効と判定された場合は、第２の判定処理で判定された現在の設定値に対応する設定値の切り替えを表す切り替えボタンを画面の所定の表示領域に表示する制御を行い、第１の判定処理で無効と判定された場合は、所定の表示領域に切り替えボタンを表示しない制御を行う表示制御手段（１３０）と、を具備する。当該構成により、表示領域を有効利用しつつ、切り替え可能な設定項目に関してユーザに誤認を与えない表示制御方法及び当該方法を用いた携帯端末装置を提供できる。
2012140857.tif 000002
【特許請求の範囲】
【請求項１】
設定値の切り替えが有効か又は無効かに関する第１の判定処理と現在の設定値に関する第２の判定処理とを行う判定処理手段と、
画面を表示する表示手段と、
前記第１の判定処理で有効と判定された場合は、前記第２の判定処理で判定された現在の設定値に対応する設定値の切り替えを表す切り替えボタンを前記画面の所定の表示領域に表示する制御を行い、前記第１の判定処理で無効と判定された場合は、前記所定の表示領域に前記切り替えボタンを表示しない制御を行う表示制御手段と、
を具備する携帯端末装置。
【請求項２】
前記判定処理手段は、設定値の切り替えが有効か又は無効かに関する第１の判定処理を行い、前記第１の判定処理で有効と判定された場合に現在の設定値に関する第２の判定処理を行う、
請求項１に記載の携帯端末装置。
【請求項３】
前記切り替えボタンは、現在の設定値と切り替わり先の設定値と切り替わり方向とを表すアイコンである、
請求項１又は２に記載の携帯端末装置。
【請求項４】
設定値の切り替えが有効か又は無効かに関する情報及び現在の設定値に関する情報を管理情報として記憶する記憶手段を更に具備し、
前記判定処理手段は、前記管理情報を参照して前記第１の判定処理及び第２の判定処理を行う、
請求項１乃至３のいずれか１項に記載の携帯端末装置。
【請求項５】
第１の無線通信方式で無線通信を行う第１無線通信手段と、
第２の無線通信方式で無線通信を行う第２無線通信手段と、
無線通信方式の切り替えが有効か又は無効かを判定する第１の判定処理と現在の無線通信方式を判定する第２の判定処理とを行う判定処理手段と、
画面を表示する表示手段と、
前記第１の判定処理で有効と判定された場合は、前記第２の判定処理で判定された現在の無線通信方式に対応する無線通信方式の切り替えを表す切り替えボタンを前記画面の所定の表示領域に表示する制御を行い、前記第１の判定処理で無効と判定された場合は、前記画面の所定の表示領域に前記切り替えボタンを表示しない制御を行う表示制御手段と、
を具備する携帯端末装置。
【請求項６】
前記判定処理手段は、無線通信方式の切り替えが有効か又は無効かを判定する第１の判定処理を行い、前記第１の判定処理で有効と判定された場合に現在の無線通信方式を判定する第２の判定処理を行う、
請求項５に記載の携帯端末装置。
【請求項７】
前記切り替えボタンは、現在の無線通信方式と切り替わり先の無線通信方式と切り替わり方向とを表すアイコンである、
請求項５又は６に記載の携帯端末装置。
【請求項８】
前記第１無線通信手段及び前記第２無線通信手段でそれぞれ無線通信が可能な状態であるかどうかの検出を行う検出手段を更に具備し、
前記判定処理手段は、前記第１の判定処理において、前記第１無線通信手段及び前記第２無線通信手段が共に無線通信可能な状態であると前記検出手段で検出された場合に前記無線通信方式の切り替えが有効と判定し、いずれかの無線通信手段において無線通信が不可能な状態であると検出された場合に前記無線通信方式の切り替えが無効と判定する、
請求項５乃至７のいずれか１項に記載の携帯端末装置。
【請求項９】
設定値の切り替えが有効か又は無効かを判定する第１判定ステップと、
現在の設定値を判定する第２判定ステップと、
前記第１判定ステップで有効と判定された場合は、前記第２判定ステップで判定された現在の設定値に対応する現在の設定値と切り替わり先の設定値と切り替わり方向とを表す切り替えボタンを予め定められた表示領域に表示する制御を行い、前記第１判定ステップで無効と判定された場合は、前記表示領域に前記切り替えボタンを表示しない制御を行う表示制御ステップと、
を有する表示制御方法。
【請求項１０】
設定値の切り替えが有効か又は無効かを判定する第１判定ステップと、
現在の設定値を判定する第２判定ステップと、
前記第１判定ステップで有効と判定された場合は、前記第２判定ステップで判定された現在の設定値に対応する現在の設定値と切り替わり先の設定値と切り替わり方向とを表す切り替えボタンを予め定められた表示領域に表示する制御を行い、前記第１判定ステップで無効と判定された場合は、前記表示領域に前記設定の切り替えを表す切り替えボタンを表示しない制御を行う表示制御ステップと、
を情報処理装置に実行させる表示制御プログラムを記憶した非一時的なコンピュータ可読媒体。
【発明の詳細な説明】
【技術分野】
【０００１】
本発明は携帯端末装置及び当該装置で用いられる表示制御方法並びに表示制御プログラム及び当該プログラムを記憶したコンピュータ可読媒体に関する。
【背景技術】
【０００２】
携帯端末装置を始めとする表示部を有する電子機器においては、限られた表示領域を有効利用するために、さまざまな取り組みが行われている。【０００３】
例えば、特許文献１には、表示部で表示されているアイコンに関連付けられている設定項目の値をただちに確認することができるようにアイコン画像を切り替える技術が開示されている。【０００４】
また、近年の電子機器は、様々な機能が搭載されており、ユーザからの指示に従って適宜切り替えが可能な構成がとられている。切り替えが可能な設定に関しては、切り替わり先の設定値に対応した切替ボタンを表示部に表示しておくことで、ユーザに当該設定値への切り替えが可能であることを認識させる表示方法が取り入られている。
【先行技術文献】
【特許文献】
【０００５】
【特許文献１】特開２０１０−１９１７２０号公報
【発明の概要】
【発明が解決しようとする課題】
【０００６】
しかしながら、従来の表示方法では、端末設定の状態切り替えが可能な画面において、切替ボタンの表示は切り替わり先の設定値の表示のみとなっていることから、現在の設定状況が把握しづらいという課題がある。その解決策として、現在の設定値を画面上に表示する必要があるが、そのためには切替ボタンの表示領域とは別の領域に現在の設定値を表示のための領域を別途確保する必要がある。【０００７】
携帯端末装置などの小型デバイスでは、表示部が必然的に小さくなるため、限られた表示領域を有効利用することが求められる。従来は、設定の切り替えにおいて２つの表示領域を確保することで他の機能に割り当てる表示領域が減ることに加えて、設定状態を別の領域に常時表示していることで、設定値切り替えの有効/無効状態がわかりにくくなっていた。すなわち、設定値切り替えが無効であり、設定値の切り替えができない状態でも現在の設定値を表示していたことで、設定値の切り替えが可能であると誤解されるという課題があった。【０００８】
本発明は、上記課題を鑑み、表示領域を有効利用しつつ、切り替え可能な設定項目に関してユーザに誤認を与えない表示制御方法及び当該方法を用いた携帯端末装置並びに表示制御プログラムを記憶したコンピュータ可読媒体を提供することを目的とする。
【課題を解決するための手段】
【０００９】
本発明の携帯端末装置は、設定値の切り替えが有効か又は無効かに関する第１の判定処理と現在の設定値に関する第２の判定処理とを行う判定処理手段と、画面を表示する表示手段と、前記第１の判定処理で有効と判定された場合は、前記第２の判定処理で判定された現在の設定値に対応する設定値の切り替えを表す切り替えボタンを前記画面の所定の表示領域に表示する制御を行い、前記第１の判定処理で無効と判定された場合は、前記所定の表示領域に前記切り替えボタンを表示しない制御を行う表示制御手段と、を具備する。【００１０】
また、本発明の携帯端末装置は、第１の無線通信方式で無線通信を行う第１無線通信手段と、第２の無線通信方式で無線通信を行う第２無線通信手段と、無線通信方式の切り替えが有効か又は無効かを判定する第１の判定処理と現在の無線通信方式を判定する第２の判定処理とを行う判定処理手段と、画面を表示する表示手段と、前記第１の判定処理で有効と判定された場合は、前記第２の判定処理で判定された現在の無線通信方式に対応する無線通信方式の切り替えを表す切り替えボタンを前記画面の所定の表示領域に表示する制御を行い、前記第１の判定処理で無効と判定された場合は、前記画面の所定の表示領域に前記切り替えボタンを表示しない制御を行う表示制御手段と、を具備する。【００１１】
また、本発明の表示制御方法は、設定値の切り替えが有効か又は無効かを判定する第１判定ステップと、現在の設定値を判定する第２判定ステップと、前記第１判定ステップで有効と判定された場合は、前記第２判定ステップで判定された現在の設定値に対応する現在の設定値と切り替わり先の設定値と切り替わり方向とを表す切り替えボタンを予め定められた表示領域に表示する制御を行い、前記第１判定ステップで無効と判定された場合は、前記表示領域に前記切り替えボタンを表示しない制御を行う表示制御ステップと、を有する。【００１２】
また、本発明の非一時的なコンピュータ可読媒体は、設定値の切り替えが有効か又は無効かを判定する第１判定ステップと、現在の設定値を判定する第２判定ステップと、前記第１判定ステップで有効と判定された場合は、前記第２判定ステップで判定された現在の設定値に対応する現在の設定値と切り替わり先の設定値と切り替わり方向とを表す切り替えボタンを予め定められた表示領域に表示する制御を行い、前記第１判定ステップで無効と判定された場合は、前記表示領域に前記設定の切り替えを表す切り替えボタンを表示しない制御を行う表示制御ステップと、を情報処理装置に実行させる表示制御プログラムを記憶する。
【発明の効果】
【００１３】
本発明によれば、表示領域を有効利用しつつ、切り替え可能な設定項目に関してユーザに誤認を与えない表示制御方法及び当該方法を用いた携帯端末装置並びに表示制御プログラムを記憶したコンピュータ可読媒体を提供することができる。
【図面の簡単な説明】
【００１４】
【図１】実施の形態１にかかる携帯端末装置のブロック図である。
【図２】実施の形態１にかかる表示制御処理のフローチャート図である。
【図３】実施の形態２にかかる携帯端末装置のブロック図である。
【図４】実施の形態２にかかる管理情報を表す図である。
【図５】実施の形態２にかかる補助管理ファイルを表す図である。
【図６Ａ】実施の形態２にかかる３Ｇ設定状態の表示画面の一例を示す図である。
【図６Ｂ】実施の形態２にかかるＷＬＡＮ設定状態の表示画面の一例を示す図である。
【図６Ｃ】実施の形態２にかかる設定無効状態の表示画面の一例を示す図である。
【図７】実施の形態２にかかる補助管理ファイルの別の例を表す図である。
【図８】実施の形態２にかかる表示制御処理のフローチャート図である。
【発明を実施するための形態】
【００１５】
（実施の形態１）
以下、図面を参照して本発明の実施の形態について説明する。図１は、本発明の実施の形態１にかかる携帯端末装置の構成を示すブロック図である。
【００１６】
本発明の携帯端末装置１００は、記憶部１１０、中央処理部１２０、表示制御部１３０、表示部１４０、を有する。
【００１７】
記憶部１１０は、現在の携帯端末装置の状態を管理するための管理情報を記憶する。ここで、当該管理情報は、切り替え可能な所定の項目に関して、設定値の切り替えが有効か又は無効かに関する情報と現在の設定値に関する情報とを少なくとも含んでいる。
【００１８】
また、記憶部１１０は、現在の設定値と切り替わり先の設定値と切り替わり方向とを表す切り替えボタンを記憶する。切り替わり方向は、１の設定値から他の設定値に移行する際の方向を示すものであり、例えば矢印であっても良いし、当該情報を文字であらわしても良い。また、現在の設定値と切り替わり先の設定値の大きさや位置関係によって切り替わり方向を表しても良い。記憶部１１０には、当該設定値の切り替えが可能な切り替えパスに対応した複数の切り替えボタンが記憶される。切り替えボタンは、具体的には、現在の設定値と切り替わり先の設定値と切り替わり方向とを表すアイコンである。
【００１９】
中央処理部１２０は、設定値の切り替えが有効か又は無効かを判定する。ここで、中央処理部１２０は、設定値の切り替えが有効と判定した場合は、更に現在の設定値を判定する。中央処理部１２０は上記判定結果を表示制御部１３０に出力する。
【００２０】
表示制御部１３０は、中央処理部１２０から入力した上記判定結果に基づいて、表示部１４０における表示内容を制御する。具体的には、表示制御部１３０は、中央処理部１２０から入力した上記判定結果が、設定値の切り替えは有効という内容であった場合は、現在の設定値に対応する切り替えボタンを記憶部１１０から読み出して表示部１４０に表示する制御を行う。一方、中央処理部１２０から入力した上記判定結果が、設定値の切り替えは無効という内容であった場合は、表示部１４０における上記所定の表示領域に切り替えボタンを表示しない制御を行う。
【００２１】
表示部１４０は、表示制御部１３０の制御に従って画面を表示する。ここで、表示部１４０は、例えば液晶ディスプレイや有機ＥＬディスプレイやプラズマディスプレイなどの形態を取り得る。
【００２２】
次に、本実施の形態１における表示制御方法における処理動作について説明する。図２は、当該処理動作を示したフローチャート図である。設定値の切り替えが可能な所定の項目に関して、図２に示すフローに従い、表示部で表示される画面が決定される。
【００２３】
第１に、中央処理部１２０は、設定値の切り替えが可能な所定の項目に関して設定値の切り替えが有効か又は無効かを判定する（ステップＳ１０１）。換言すると、中央処理部１２０は、設定値の切り替えが可能な所定の項目に関して、現在の携帯端末装置の状態が当該設定値を切り替え可能な状態であるか切り替え不可能な状態であるかを判定する。
【００２４】
ステップＳ１０１において、設定値の切り替えが有効と判定された場合、中央処理部１２０は、現在の設定値を判定する（ステップＳ１０２）。換言すると、中央処理部１２０は、ステップＳ１０１で判定を行った当該項目に関して、複数存在する設定値の中から現在の設定値が何であるかを判定する。ここでは、当該項目に関しては、「設定値Ａ」と「設定値Ｂ」の２つの設定値がある。
【００２５】
次に、表示制御部１３０は、ステップＳ１０１とステップＳ１０２の判定結果に基づいて表示部１４０で表示する画像を制御する（ステップＳ１０３−ａ〜ｃ）。具体的には、表示制御部１３０は、以下の処理を行う。
【００２６】
ステップＳ１０２において、現在の設定値が「設定値Ａ」であると判定された場合、表示制御部１３０は、設定値Ａに対応付けられた切り替えボタンＡを当該項目の表示用に予め定められている表示領域に表示する（ステップＳ１０３−ａ）。ここで切り替えボタンＡは、設定値Ａから設定値Ｂへの設定切り替えをイメージするボタンであり、現在の設定値Ａと切り替わり先の設定値Ｂと切り替わり方向とを表すボタンである。具体的には、表示制御部１３０は、ステップＳ１０２において、現在の設定値が「設定値Ａ」であると判定された場合、記憶部１１０に記憶されている上記切り替えボタンＡのイメージファイルを読み込み、上記当該項目の表示用に予め定められている表示領域に表示する制御を行う。
【００２７】
一方、ステップＳ１０２において、現在の設定値が「設定値Ｂ」であると判定された場合、表示制御部１３０は、設定値Ｂに対応付けられた切り替えボタンＢを上記当該項目の表示用に予め定められている表示領域に表示する（ステップＳ１０３−ｂ）。ここで切り替えボタンＢは、設定値Ｂから設定値Ａへの設定切り替えをイメージするボタンであり、現在の設定値Ｂと切り替わり先の設定値Ａと切り替わり方向とを表すボタンである。具体的には、表示制御部１３０は、ステップＳ１０２において、現在の設定値が「設定値Ｂ」であると判定された場合、記憶部１１０に記憶されている上記切り替えボタンＢのイメージファイルを読み込み、上記当該項目の表示用に予め定められている表示領域に表示する制御を行う。
【００２８】
一方、ステップＳ１０１において、設定値の切り替えが無効と判定された場合、上記当該項目の表示用に予め定められている表示領域に切り替えボタンを表示しない（ステップＳ１０３−ｃ）。換言すると、設定値の切り替えが可能な所定の項目に関して設定値の切り替えが無効の場合には、当該項目の表示用に予め定められている表示領域は解放され、当該表示領域には背景画像が表示されるか、又は、必要に応じて他の項目における設定画像が表示される。
【００２９】
以上説明したように、本発明の携帯端末装置は、設定値の切り替えが可能な所定の項目に関して、現在の状態に応じて、切り替えボタンの表示・非表示を制御する。当該項目に関して切り替えができない状態である場合には、切り替えボタンを非表示とすることで、当該項目に関する情報を表示するための表示領域を解放して有効活用することができる。更に、当該表示領域に当該項目に関する情報をあえて表示しないことでユーザが切り替え可能な状態にあると誤認することを防ぐことができる。
【００３０】
また、切り替えボタンを表示する場合には、現在の設定値と切り替わり先の設定値と切り替わり方向とを表す切り替えボタンを表示する。このようなイメージデザインを用いることで、ボタン表示以外の領域を別途確保する必要がなくなり、直感的に設定の切り替えが可能となる。
【００３１】
以上のように、本発明の携帯端末装置の構成によれば、設定項目として有効／無効の設定があり、有効に設定している場合には、さらに詳細動作の設定値を指定することが可能となる。従って、ボタン表示のみで設定値切り替えの有効/無効の判断ができることでユーザの誤認を防ぐことができ、かつ切り替え可能な場合は、ユーザは直感的に設定の切り替えを行うことが可能となる。
【００３２】
（実施の形態２）
本実施の形態２にかかる携帯端末装置は、複数の通信ベアラが切り替え可能な構成を有しており、当該複数の通信ベアラの切り替えを直感的に行うことができることを特徴としている。
【００３３】
図３は、本実施の形態２にかかる携帯端末装置２００の構成を示したブロック図である。携帯端末装置２００は、記憶部１１０と、中央処理部１２０と、表示制御部１３０と、表示部１４０と、第１通信部２５０と、第２通信部２６０と、入力部２７０と、から構成される。以下、各ブロックについて説明する。但し、実施の形態１で説明したブロックについては一部説明を省略する。
【００３４】
第１通信部２５０は、第１の無線通信方式を用いて外部無線装置と通信を行う。ここで、第１の無線通信方式は、本携帯端末装置２００においてデフォルトの通信用として用いられる無線通信方式である。携帯端末装置２００は、移動体通信システムを用いて通信を行うことを前提とする無線通信装置であるため、第１の無線通信方式としては、例えばＩＭＴ−２０００規格に準拠した無線通信方式であり、具体的には、３ＧであるＷ−ＣＤＭＡやＣＤＭＡ２０００などとすることができる。以下、第１の無線通信方式は、上記３Ｇであるとして説明する。
【００３５】
第２通信部２６０は、第２の無線通信方式を用いて外部無線装置と通信を行う。ここで、第２の無線通信方式は、本携帯端末装置２００において主に補助通信用として用いられる無線通信方式であり、特定の状況下で第１の無線通信方式よりも望ましいスループットやコストパフォーマンスを達成できる無線通信方式などとなる。第２の無線通信方式としては、例えばＩＥＥＥ．８０２．１１諸規格に準拠した無線通信方式規格であり、具体的には、ＷＬＡＮであるＩＥＥＥ８０２．１１ａやＩＥＥＥ８０２．１１ｎなどとすることができる。以下、第２の無線通信方式は、上記ＷＬＡＮであるとして説明する。
【００３６】
入力部２７０は、ユーザからの指示を入力する。例えば、上記第１及び第２の無線通信方式の切り替えを有効とするか無効とするかの設定や、当該切り替えが有効である場合に、ユーザからの切り替え指示を入力するためのユーザインタフェースとなる。
【００３７】
記憶部１１０は、現在の携帯端末装置の状態を管理するための管理情報を記憶する。ここで、当該管理情報は、切り替え可能な所定の項目に関して、設定値の切り替えが有効か又は無効かに関する情報と現在の設定値に関する情報とを少なくとも含んでいる。以下、上記無線通信方式が切り替え可能な場合の上記管理情報の一例を図４に示す。この場合、設定値の切り替えが有効か又は無効かに関して現在の設定状態が「有効」として登録されている。また、現在の設定値は「３Ｇ」として登録されている。
【００３８】
また、記憶部１１０は、現在の設定値と切り替わり先の設定値と切り替わり方向とを表す切り替えボタンを記憶する。本携帯端末装置２００において、無線通信方式の切り替えに関しては、３Ｇ→ＷＬＡＮとＷＬＡＮ→３Ｇの二方向の切り替えパターンがあるため、記憶部１１０は、この２パターンに対応する切り替えボタンのイメージファイルを記憶している。
【００３９】
また、記憶部１１０は、現在の設定値と上記イメージファイルとの対応付けを纏めた補助管理ファイルを合わせて記憶する。図５は、当該補助管理ファイルの一例を示す。当該補助管理ファイルには、現在の設定状態と現在の設置値に対応した切り替えボタンがテーブル状で関連付けされている。表示制御部１３０は、中央処理部１２０が行う判定処理の結果に基づいて、現在の設定状態と現在の設定値に対応するイメージファイルを当該補助管理ファイルを参照して指定された格納アドレスから読み出し、表示部１４０の所定の表示領域に表示する。
【００４０】
中央処理部１２０は、設定値である無線通信方式の切り替えが有効か又は無効かを判定する。中央処理部１２０は、無線通信方式の切り替えが有効と判定した場合は、更に現在の設定値が３ＧであるかＷＬＡＮであるかを判定する。中央処理部１２０は上記判定結果を表示制御部１３０に出力する。
【００４１】
表示制御部１３０は、中央処理部１２０から入力した上記判定結果である「現在の設定状態：現在の設定値」を入力する。ここでは、「有効：３Ｇ」、「有効：ＷＬＡＮ」、「無効」の３通りが存在する。表示制御部１３０は、上記補助管理ファイルと上記判定結果に基づいて必要に応じて切り替えボタンイメージを読み出して、表示部１４０で表示する制御を行う。
【００４２】
次に、上記判定結果に基づいて表示制御部１３０が行う表示制御により表示部に写される画面について説明する。図６は、上記３通りの場合におけるブラウザ画面を示している。画面左下の領域に、無線通信方式の切り替えに関するイメージである切り替えボタンが表示される。ここで切り替えボタンには、現在の無線通信方式、切り替わりの方向、切り替わり先の無線通信方式、の３つの情報が含まれている。従って、ユーザは当該切り替えボタンを見るだけで、無線通信方式の切り替えが可能な状態であることを直感的に認識することができる。
【００４３】
ユーザは、当該表示を見て、無線通信方式を切り替えたい場合には、入力部２７０を介して当該切り替えボタンを選択することで、無線通信方式を容易に切り替えることができる。例えば、図６において現在の設定値が３Ｇである場合に、ユーザは３０１の画面で表示されている切り替えボタンを見て無線通信方式の切り替えが可能な状態であることを認識し、当該切り替えボタンを選択することで、現在の設定値を３ＧからＷＬＡＮへ変更することができる。当該選択により、使用する無線通信方式を切り替えることができると共に、表示部１４０で表示されるブラウザ画面は３０１から３０２に切り替わる。
【００４４】
以上説明したように、本実施の形態の携帯端末装置は、無線通信方式の切り替えを切り替えボタンの表示によって直感的に認識することができる。なお、上記説明では、携帯端末装置が使用できる無線通信方式が３ＧとＷＬＡＮの２つである場合について説明したが、これに限るものではなく、さらに多くの無線通信方式を使用できる構成であっても良い。
【００４５】
図７に、「３Ｇ」、「ＷＬＡＮ」、「ＬＴＥ」の無線通信方式に対応する３つの無線通信部を有する携帯端末装置における上記補助管理ファイルの一例を示す。この場合、１つの無線通信方式に対して２通りの切り替わりパターンが存在する。従って、中央処理部１２０は、更に切り替わり先の判定を行う。
【００４６】
図８は、当該構成の携帯端末装置における処理動作を示したフローチャート図である。中央処理部１２０は、現在の携帯端末装置の設定状態が切り替え可能な状態であるかどうかを判定する（ステップＳ２０１）。具体的には、無線通信方式の切り替えが可能な状態かどうかを判定する。
【００４７】
ステップＳ２０１において、設定値の切り替えが有効と判定された場合、中央処理部１２０は、現在の設定値を判定する（ステップＳ２０２）。具体的には、中央処理部１２０は、無線通信方式に関して、複数存在する無線通信方式の中から現在の無線通信方式が何であるかを判定する。ステップＳ２０２における判定の結果、現在の無線通信方式が３Ｇであると判定された場合はステップＳ２０３−ａに、ＷＬＡＮであると判定された場合はステップＳ２０３−ｂに、ＬＴＥであると判定された場合はステップＳ２０３−ｃに、それぞれ進む。
【００４８】
次に、中央処理部１２０は、切り替わり先の設定値を判定する（ステップＳ２０３−ａ〜ｃ）。具体的には、中央処理部１２０は、現在の使用している無線通信方式から切り替え可能な無線通信方式が何であるかを判定する。ここで、切り替え可能な無線通信方式が複数存在する場合は、当該複数の無線通信方式のうち優先度の高い無線通信方式を切り替え可能な無線通信方式として判定する。上記ステップＳ２０１〜ステップＳ２０３の判定結果は、表示制御部１３０に出力される。
【００４９】
一例として、ステップＳ２０２における判定の結果、現在の無線通信方式が３Ｇであると判定された場合、中央処理部１２０は、現在の無線通信方式である３Ｇからの切り替えが可能な切り替え先に関する判定を行う（ステップＳ２０３−ａ）。ステップＳ２０３−ａにおける判定の結果、ＷＬＡＮへの切り替えが可能と判定された場合は、ステップＳ２０４−ａに、ＬＴＥへの切り替えが可能と判定された場合はステップＳ２０４−ｂにそれぞれ進む。
【００５０】
表示制御部１３０は、中央処理部１２０より入力した上記判定結果に基づいて、適切な表示制御を行う（ステップＳ２０４−ａ〜ｇ）。具体的には、上記判定結果に対応する切り替えボタンのイメージファイルを上記補助管理ファイルを参照して記憶部１１０の格納アドレスより読み出し、当該読み出した切り替えボタンを表示部１４０で表示する制御を行う。なお、上記判定の結果、現在の設定状態が「無効」であった場合は、表示制御部１３０は、切り替えボタンを非表示とする表示制御を行う。
【００５１】
このように構成することで、３以上の切り替えパスが存在する場合でも、切り替えボタンの表示／非表示、及び適切な切り替えボタンの選択を行うことができる。
【００５２】
なお、上記説明では、前段で現在の無線通信方式を判定し、後段で切り替え先の無線通信方式を判定する構成を示したが、これに限るものではない。ステップＳ２０２で先に切り替え先の無線通信方式を判定し、ステップＳ２０３で現在の無線通信方式を判定する構成であっても良く、当該処理手順によっても上記説明した場合と同一の表示制御を行うことができる。
【００５３】
また、現在の設定状態の有効／無効については、ユーザが入力部２７０を介して設定登録を行う構成であっても良いし、当該設定項目に関する現在状況を検出・把握する検出部を別途設ける構成であっても良い。
【００５４】
例えば、３ＧとＷＬＡＮとＬＴＥの３つの無線通信方式を用いて通信可能な携帯端末装置において、対応する各無線通信部は、割り当てられている周波数帯域の電波の受信レベルを定期的に測定する。各無線通信部において所定の受信レベル以上の電波が検出された場合は、当該無線通信部は、対応する無線通信方式が使用可能な状況下にあるとして、中央処理部１２０に使用可能信号を出力する。同様に、各無線通信部において所定の受信レベル以上の電波が検出されなくなった場合は、当該無線通信部は、対応する無線通信方式が使用可能な状況から外れたとして、中央処理部１２０に使用不可信号を出力する。
【００５５】
中央処理部１２０は、各無線通信部より入力した上記使用可能信号及び使用不可信号をトリガーとして、図８のフローチャートに示す判定処理を開始し、ステップＳ２０１〜２０３で得られた判定結果を表示制御部１３０に出力する。表示制御部１３０が、新たに中央処理部１２０より出力された判定結果に応じてＳ２０４−ａ〜ｇで示す表示を切り替えるとで、表示部１４０において適切な表示が行われる。このように構成しても良い。
【００５６】
なお、携帯端末装置に搭載されている複数の無線通信方式が使用可能な状況下にあるかどうかの検出においては、各無線通信部内にそれぞれ自無線通信方式が使用可能な状況下にあるかどうかを検出する検出部が設けられていても良い。また、各無線通信方式が使用可能な状況下にあるかどうかを一括して検出する検出部が設けられていても良い。
【００５７】
また、図２及び図８に示す表示制御処理は、表示制御プログラムを中央処理部１２０又は表示制御部１３０に実行させることで実現されていても良い。その他、本発明は、任意の処理を、ＣＰＵ（Central Processing Unit）にコンピュータプログラムを実行させることにより実現することも可能である。
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５８】
なお、切り替えボタンのデザインは文字列／イメージを問わず表示することが可能であり、より直感的な表示を行うことも可能である。
【００５９】
また、上記説明では、携帯端末装置について説明したが、これに限定するものではない。本発明によれば、携帯端末以外においても、有効/無効の設定が可能で、かつ設定有効な場合にその設定値を画面に表示して設定の切り替えを可能とする電子機器に適用可能である。
【００６０】
なお、本発明は上記実施の形態に限られたものではなく、趣旨を逸脱しない範囲で適宜変更することが可能である。例えば、以下の形態を取ることが可能である。
【００６１】
（１）設定値の切り替えが有効か又は無効かに関する第１の判定処理と現在の設定値に関する第２の判定処理とを行う判定処理手段と、設定値の切り替えを表す切り替えボタンを記憶する記憶手段と、画面を表示する表示手段と、前記第１の判定処理で有効と判定された場合は、前記第２の判定処理で判定された現在の設定値に対応する前記切り替えボタンを前記画面の所定の表示領域に表示する制御を行い、前記第１の判定処理で無効と判定された場合は、前記所定の表示領域に前記切り替えボタンを表示しない制御を行う表示制御手段と、を具備する携帯端末装置。
（２）前記判定処理手段は、設定値の切り替えが有効か又は無効かに関する第１の判定処理を行い、前記第１の判定処理で有効と判定された場合に現在の設定値に関する第２の判定処理を行う、（１）に記載の携帯端末装置。
（３）前記切り替えボタンは、現在の設定値と切り替わり先の設定値と切り替わり方向とを表すボタンであることを特徴とする、（１）又は（２）に記載の携帯端末装置。
（４）前記記憶手段は、設定値の切り替えが有効か又は無効かに関する情報及び現在の設定値に関する情報を管理情報として更に記憶し、前記判定処理手段は、前記管理情報を参照して前記第１の判定処理及び第２の判定処理を行う、（１）〜（３）のいずれかに記載の携帯端末装置。
（５）第１の無線通信方式で無線通信を行う第１無線通信手段と、第２の無線通信方式で無線通信を行う第２無線通信手段と、無線通信方式の切り替えが有効か又は無効かを判定する第１の判定処理と現在の無線通信方式を判定する第２の判定処理とを行う判定処理手段と、無線通信方式の切り替えを表す切り替えボタンを記憶する記憶手段と、画面を表示する表示手段と、前記第１の判定処理で有効と判定された場合は、前記第２の判定処理で判定された現在の無線通信方式に対応する前記切り替えボタンを前記画面の所定の表示領域に表示する制御を行い、前記第１の判定処理で無効と判定された場合は、前記画面の所定の表示領域に前記切り替えボタンを表示しない制御を行う表示制御手段と、を具備する携帯端末装置。
（６）前記判定処理手段は、無線通信方式の切り替えが有効か又は無効かを判定する第１の判定処理を行い、前記第１の判定処理で有効と判定された場合に現在の無線通信方式を判定する第２の判定処理を行う、（５）に記載の携帯端末装置。
（７）前記切り替えボタンは、現在の無線通信方式と切り替わり先の無線通信方式と切り替わり方向とを表すボタンであることを特徴とする、（５）又は（６）に記載の携帯端末装置。
（８）前記第１無線通信手段及び前記第２無線通信手段でそれぞれ無線通信が可能な状態であるかどうかの検出を行う検出手段を更に具備し、前記判定処理手段は、前記第１の判定処理において、前記第１無線通信手段及び前記第２無線通信手段が共に無線通信可能な状態であると前記検出手段で検出された場合に前記無線通信方式の切り替えが有効と判定し、いずれかの無線通信手段において無線通信が不可能な状態であると検出された場合に前記無線通信方式の切り替えが無効と判定する、（５）乃至（７）のいずれかに記載の携帯端末装置。
（９）設定値の切り替えが有効か又は無効かを判定する第１判定ステップと、現在の設定値を判定する第２判定ステップと、前記第１判定ステップで有効と判定された場合は、前記第２判定ステップで判定された現在の設定値に対応する設定値の切り替えを表す切り替えボタンを予め定められた表示領域に表示する制御を行い、前記第１判定ステップで無効と判定された場合は、前記表示領域に前記切り替えボタンを表示しない制御を行う表示制御ステップと、を有する表示制御方法。
（１０）設定値の切り替えが有効か又は無効かを判定する第１判定ステップと、現在の設定値を判定する第２判定ステップと、前記第１判定ステップで有効と判定された場合は、前記第２判定ステップで判定された現在の設定値に対応する設定値の切り替えを表す切り替えボタンを予め定められた表示領域に表示する制御を行い、前記第１判定ステップで無効と判定された場合は、前記表示領域に前記設定の切り替えを表す切り替えボタンを表示しない制御を行う表示制御ステップと、を情報処理装置に実行させる表示制御プログラムを記憶した非一時的なコンピュータ可読媒体。
（１１）前記第２判定ステップは、前記第１判定ステップで前記設定値の切り替えが有効と判定された場合に現在の設定値を判定する、（９）に記載の表示制御方法。
（１２）前記設定値の切り替えを表す切り替えボタンは、現在の設定値と切り替わり先の設定値と切り替わり方向とを表すボタンであることを特徴とする、（９）に記載の表示制御方法。
（１３）設定値の切り替えが有効か又は無効かに関する情報及び現在の設定値に関する情報を管理情報として記憶する記憶ステップを更に有し、前記第１の判定ステップ及び前記第２の判定ステップは前記管理情報を参照して、それぞれ設定値の切り替えが有効か又は無効かの判定及び現在の設定値の判定を行う、（９）に記載の表示制御方法。
（１４）第１の無線通信方式及び第２の無線通信方式で外部通信装置と接続可能な携帯端末装置で用いられる表示制御方法であって、前記第１の無線通信方式から前記第２の無線通信方式への切り替えが有効か又は無効かを判定する第１判定ステップと、前記第１判定ステップで有効と判定された場合は、外部通信装置との無線通信用に現在設定されている無線通信方式が、前記第１の無線通信方式か前記第２の無線通信方式のどちらであるかを判定する第２判定ステップと、前記第１判定ステップで有効と判定された場合は、前記第２判定ステップで判定された現在設定されている無線通信方式に対応する現在設定されている無線通信方式から他の無線通信方式への切り替えを表すボタンを予め定められた表示領域に表示する制御を行い、前記第１判定ステップで無効と判定された場合は、前記表示領域に無線通信方式の切り替えを示すボタンを表示しない制御を行う表示制御ステップと、を有する表示制御方法。
（１５）前記第１判定ステップで前記設定値の切り替えが有効と判定された場合に現在の設定値を判定する前記第２判定ステップを情報処理装置に実行させる、（１０）に記載の表示制御プログラムを記憶した非一時的なコンピュータ可読媒体。
（１６）設定値の切り替えが有効か又は無効かに関する情報及び現在の設定値に関する情報を管理情報として記憶する記憶ステップを更に情報処理装置に実行させ、前記管理情報を参照して、前記設定値の切り替えが有効か又は無効かの判定処理及び現在の設定値の判定処理を計算処理装置に実行させることを特徴とする、（１０）に記載の表示制御プログラムを記憶した非一時的なコンピュータ可読媒体。
（１７）ユーザからの切り替え指示を入力する入力手段を更に具備し、前記判定処理手段は、前記指示に切り替え指示に基づいて使用する無線通信方式を現在の無線通信方式から他の無線通信方式に切り替える制御を行う、（５）に記載の携帯端末装置。
（１８）設定値の切り替えが有効か又は無効かに関する第１の判定処理と切り替え先の設定値に関する第２の判定処理とを行う判定処理手段と、設定値の切り替えを表す切り替えボタンを記憶する記憶手段と、画面を表示する表示手段と、前記第１の判定処理で有効と判定された場合は、前記第２の判定処理で判定された切り替え先の設定値に対応する前記切り替えボタンを前記画面の所定の表示領域に表示する制御を行い、前記第１の判定処理で無効と判定された場合は、前記所定の表示領域に前記切り替えボタンを表示しない制御を行う表示制御手段と、を具備する携帯端末装置。
（１９）前記判定処理手段は、設定値の切り替えが有効か又は無効かに関する第１の判定処理を行い、前記第１の判定処理で有効と判定された場合に切り替え先の設定値に関する第２の判定処理を行う、（１８）に記載の携帯端末装置。
【００６２】
この出願は、２０１１年４月１２日に出願された日本出願特願２０１１−０８８１４２を基礎とする優先権を主張し、その開示の全てをここに取り込む。
【産業上の利用可能性】
【００６３】
本発明は、３ＧやＬＴＥ（Long Term Evolution）などの移動体通信システムをはじめとして、今後実現される様々な移動体通信システムで使用される端末装置に利用可能である。
【符号の説明】
【００６４】
１００    携帯端末装置
１１０    記憶部
１２０    中央処理部
１３０    表示制御部
１４０    表示部
２００    携帯端末装置
２５０    通信部
２６０    通信部
２７０    入力部
【図１】
2012140857.tif 000003
【図２】
2012140857.tif 000004
【図３】
2012140857.tif 000005
【図４】
2012140857.tif 000006
【図５】
2012140857.tif 000007
【図６Ａ】
2012140857.tif 000008
【図６Ｂ】
2012140857.tif 000009
【図６Ｃ】
2012140857.tif 000010
【図７】
2012140857.tif 000011
【図８】
2012140857.tif 000012
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
設定値の切り替えが有効か又は無効かに関する第１の判定処理と現在の設定値に関する第２の判定処理とを行う判定処理手段と、
画面を表示する表示手段と、
前記第１の判定処理で有効と判定された場合は、前記第２の判定処理で判定された現在の設定値に対応する設定値の切り替えを表す切り替えボタンを前記画面の所定の表示領域に表示する制御を行い、前記第１の判定処理で無効と判定された場合は、前記所定の表示領域に前記切り替えボタンを表示しない制御を行う表示制御手段と、
を具備する携帯端末装置。
【請求項２】
前記判定処理手段は、設定値の切り替えが有効か又は無効かに関する第１の判定処理を行い、前記第１の判定処理で有効と判定された場合に現在の設定値に関する第２の判定処理を行う、
請求項１に記載の携帯端末装置。
【請求項３】
前記切り替えボタンは、現在の設定値と切り替わり先の設定値と切り替わり方向とを表すアイコンである、
請求項１又は２に記載の携帯端末装置。
【請求項４】
設定値の切り替えが有効か又は無効かに関する情報及び現在の設定値に関する情報を管理情報として記憶する記憶手段を更に具備し、
前記判定処理手段は、前記管理情報を参照して前記第１の判定処理及び第２の判定処理を行う、
請求項１乃至３のいずれか１項に記載の携帯端末装置。
【請求項５】
第１の無線通信方式で無線通信を行う第１無線通信手段と、
第２の無線通信方式で無線通信を行う第２無線通信手段と、
無線通信方式の切り替えが有効か又は無効かを判定する第１の判定処理と現在の無線通信方式を判定する第２の判定処理とを行う判定処理手段と、
画面を表示する表示手段と、
前記第１の判定処理で有効と判定された場合は、前記第２の判定処理で判定された現在の無線通信方式に対応する無線通信方式の切り替えを表す切り替えボタンを前記画面の所定の表示領域に表示する制御を行い、前記第１の判定処理で無効と判定された場合は、前記画面の所定の表示領域に前記切り替えボタンを表示しない制御を行う表示制御手段と、
を具備する携帯端末装置。
【請求項６】
前記判定処理手段は、無線通信方式の切り替えが有効か又は無効かを判定する第１の判定処理を行い、前記第１の判定処理で有効と判定された場合に現在の無線通信方式を判定する第２の判定処理を行う、
請求項５に記載の携帯端末装置。
【請求項７】
前記切り替えボタンは、現在の無線通信方式と切り替わり先の無線通信方式と切り替わり方向とを表すアイコンである、
請求項５又は６に記載の携帯端末装置。
【請求項８】
前記第１無線通信手段及び前記第２無線通信手段でそれぞれ無線通信が可能な状態であるかどうかの検出を行う検出手段を更に具備し、
前記判定処理手段は、前記第１の判定処理において、前記第１無線通信手段及び前記第２無線通信手段が共に無線通信可能な状態であると前記検出手段で検出された場合に前記無線通信方式の切り替えが有効と判定し、いずれかの無線通信手段において無線通信が不可能な状態であると検出された場合に前記無線通信方式の切り替えが無効と判定する、
請求項５乃至７のいずれか１項に記載の携帯端末装置。
【請求項９】
ユーザからの切り替え指示を入力する入力手段を更に具備し、
前記判定処理手段は、前記指示に切り替え指示に基づいて使用する無線通信方式を現在の無線通信方式から他の無線通信方式に切り替える制御を行う、
請求項５に記載の携帯端末装置。
【請求項１０】
設定値の切り替えが有効か又は無効かに関する第１の判定処理と切り替え先の設定値に関する第２の判定処理とを行う判定処理手段と、
画面を表示する表示手段と、
前記第１の判定処理で有効と判定された場合は、前記第２の判定処理で判定された切り替え先の設定値に対応する設定値の切り替えを表す切り替えボタンを前記画面の所定の表示領域に表示する制御を行い、前記第１の判定処理で無効と判定された場合は、前記所定の表示領域に前記切り替えボタンを表示しない制御を行う表示制御手段と、
を具備する携帯端末装置。
【請求項１１】
前記判定処理手段は、設定値の切り替えが有効か又は無効かに関する第１の判定処理を行い、前記第１の判定処理で有効と判定された場合に切り替え先の設定値に関する第２の判定処理を行う、
請求項１０に記載の携帯端末装置。
【請求項１２】
設定値の切り替えが有効か又は無効かを判定する第１判定ステップと、
現在の設定値を判定する第２判定ステップと、
前記第１判定ステップで有効と判定された場合は、前記第２判定ステップで判定された現在の設定値に対応する現在の設定値と切り替わり先の設定値と切り替わり方向とを表す切り替えボタンを予め定められた表示領域に表示する制御を行い、前記第１判定ステップで無効と判定された場合は、前記表示領域に前記切り替えボタンを表示しない制御を行う表示制御ステップと、
を有する表示制御方法。
【請求項１３】
前記第２判定ステップは、前記第１判定ステップで前記設定値の切り替えが有効と判定された場合に現在の設定値を判定する、
請求項１２に記載の表示制御方法。
【請求項１４】
前記切り替えボタンは、現在の設定値と切り替わり先の設定値と切り替わり方向とを表すアイコンであることを特徴とする、
請求項１２に記載の表示制御方法。
【請求項１５】
設定値の切り替えが有効か又は無効かに関する情報及び現在の設定値に関する情報を管理情報として記憶する記憶ステップを更に有し、
前記第１の判定ステップ及び前記第２の判定ステップは前記管理情報を参照して、それぞれ設定値の切り替えが有効か又は無効かの判定及び現在の設定値の判定を行う、
請求項１２に記載の表示制御方法。
【請求項１６】
第１の無線通信方式及び第２の無線通信方式で外部通信装置と接続可能な携帯端末装置で用いられる表示制御方法であって、
前記第１の無線通信方式から前記第２の無線通信方式への切り替えが有効か又は無効かを判定する第１判定ステップと、
前記第１判定ステップで有効と判定された場合は、外部通信装置との無線通信用に現在設定されている無線通信方式が、前記第１の無線通信方式か前記第２の無線通信方式のどちらであるかを判定する第２判定ステップと、
前記第１判定ステップで有効と判定された場合は、前記第２判定ステップで判定された現在設定されている無線通信方式に対応する現在設定されている無線通信方式から他の無線通信方式への切り替えを表すボタンを予め定められた表示領域に表示する制御を行い、前記第１判定ステップで無効と判定された場合は、前記表示領域に無線通信方式の切り替えを示すボタンを表示しない制御を行う表示制御ステップと、
を有する表示制御方法。
【請求項１７】
設定値の切り替えが有効か又は無効かを判定する第１判定ステップと、
現在の設定値を判定する第２判定ステップと、
前記第１判定ステップで有効と判定された場合は、前記第２判定ステップで判定された現在の設定値に対応する現在の設定値と切り替わり先の設定値と切り替わり方向とを表す切り替えボタンを予め定められた表示領域に表示する制御を行い、前記第１判定ステップで無効と判定された場合は、前記表示領域に前記設定の切り替えを表す切り替えボタンを表示しない制御を行う表示制御ステップと、
を情報処理装置に実行させる表示制御プログラム。
【請求項１８】
前記第１判定ステップで前記設定値の切り替えが有効と判定された場合に現在の設定値を判定する前記第２判定ステップを前記情報処理装置に実行させる、
請求項１７に記載の表示制御プログラム。
【請求項１９】
設定値の切り替えが有効か又は無効かに関する情報及び現在の設定値に関する情報を管理情報として記憶する記憶ステップを更に前記情報処理装置に実行させ、
前記管理情報を参照して、前記設定値の切り替えが有効か又は無効かの判定処理及び現在の設定値の判定処理を前記情報処理装置に実行させることを特徴とする、
請求項１８に記載の表示制御プログラム。
【手続補正３】
【補正対象書類名】明細書
【補正対象項目名】０００１
【補正方法】変更
【補正の内容】
【０００１】
本発明は携帯端末装置及び当該装置で用いられる表示制御方法並びに表示制御プログラムに関する。
【手続補正４】
【補正対象書類名】明細書
【補正対象項目名】０００８
【補正方法】変更
【補正の内容】
【０００８】
本発明は、上記課題を鑑み、表示領域を有効利用しつつ、切り替え可能な設定項目に関してユーザに誤認を与えない表示制御方法及び当該方法を用いた携帯端末装置並びに表示制御プログラムを提供することを目的とする。
【手続補正５】
【補正対象書類名】明細書
【補正対象項目名】００１２
【補正方法】変更
【補正の内容】
【００１２】
また、本発明の表示制御プログラムは、設定値の切り替えが有効か又は無効かを判定する第１判定ステップと、現在の設定値を判定する第２判定ステップと、前記第１判定ステップで有効と判定された場合は、前記第２判定ステップで判定された現在の設定値に対応する現在の設定値と切り替わり先の設定値と切り替わり方向とを表す切り替えボタンを予め定められた表示領域に表示する制御を行い、前記第１判定ステップで無効と判定された場合は、前記表示領域に前記設定の切り替えを表す切り替えボタンを表示しない制御を行う表示制御ステップと、を情報処理装置に実行させる。
【手続補正６】
【補正対象書類名】明細書
【補正対象項目名】００１３
【補正方法】変更
【補正の内容】
【００１３】
本発明によれば、表示領域を有効利用しつつ、切り替え可能な設定項目に関してユーザに誤認を与えない表示制御方法及び当該方法を用いた携帯端末装置並びに表示制御プログラムを提供することができる。
【手続補正７】
【補正対象書類名】明細書
【補正対象項目名】００６１
【補正方法】変更
【補正の内容】
【００６１】
（１）設定値の切り替えが有効か又は無効かに関する第１の判定処理と現在の設定値に関する第２の判定処理とを行う判定処理手段と、設定値の切り替えを表す切り替えボタンを記憶する記憶手段と、画面を表示する表示手段と、前記第１の判定処理で有効と判定された場合は、前記第２の判定処理で判定された現在の設定値に対応する前記切り替えボタンを前記画面の所定の表示領域に表示する制御を行い、前記第１の判定処理で無効と判定された場合は、前記所定の表示領域に前記切り替えボタンを表示しない制御を行う表示制御手段と、を具備する携帯端末装置。
（２）前記判定処理手段は、設定値の切り替えが有効か又は無効かに関する第１の判定処理を行い、前記第１の判定処理で有効と判定された場合に現在の設定値に関する第２の判定処理を行う、（１）に記載の携帯端末装置。
（３）前記切り替えボタンは、現在の設定値と切り替わり先の設定値と切り替わり方向とを表すボタンであることを特徴とする、（１）又は（２）に記載の携帯端末装置。
（４）前記記憶手段は、設定値の切り替えが有効か又は無効かに関する情報及び現在の設定値に関する情報を管理情報として更に記憶し、前記判定処理手段は、前記管理情報を参照して前記第１の判定処理及び第２の判定処理を行う、（１）〜（３）のいずれかに記載の携帯端末装置。
（５）第１の無線通信方式で無線通信を行う第１無線通信手段と、第２の無線通信方式で無線通信を行う第２無線通信手段と、無線通信方式の切り替えが有効か又は無効かを判定する第１の判定処理と現在の無線通信方式を判定する第２の判定処理とを行う判定処理手段と、無線通信方式の切り替えを表す切り替えボタンを記憶する記憶手段と、画面を表示する表示手段と、前記第１の判定処理で有効と判定された場合は、前記第２の判定処理で判定された現在の無線通信方式に対応する前記切り替えボタンを前記画面の所定の表示領域に表示する制御を行い、前記第１の判定処理で無効と判定された場合は、前記画面の所定の表示領域に前記切り替えボタンを表示しない制御を行う表示制御手段と、を具備する携帯端末装置。
（６）前記判定処理手段は、無線通信方式の切り替えが有効か又は無効かを判定する第１の判定処理を行い、前記第１の判定処理で有効と判定された場合に現在の無線通信方式を判定する第２の判定処理を行う、（５）に記載の携帯端末装置。
（７）前記切り替えボタンは、現在の無線通信方式と切り替わり先の無線通信方式と切り替わり方向とを表すボタンであることを特徴とする、（５）又は（６）に記載の携帯端末装置。
（８）前記第１無線通信手段及び前記第２無線通信手段でそれぞれ無線通信が可能な状態であるかどうかの検出を行う検出手段を更に具備し、前記判定処理手段は、前記第１の判定処理において、前記第１無線通信手段及び前記第２無線通信手段が共に無線通信可能な状態であると前記検出手段で検出された場合に前記無線通信方式の切り替えが有効と判定し、いずれかの無線通信手段において無線通信が不可能な状態であると検出された場合に前記無線通信方式の切り替えが無効と判定する、（５）乃至（７）のいずれかに記載の携帯端末装置。
（９）設定値の切り替えが有効か又は無効かを判定する第１判定ステップと、現在の設定値を判定する第２判定ステップと、前記第１判定ステップで有効と判定された場合は、前記第２判定ステップで判定された現在の設定値に対応する設定値の切り替えを表す切り替えボタンを予め定められた表示領域に表示する制御を行い、前記第１判定ステップで無効と判定された場合は、前記表示領域に前記切り替えボタンを表示しない制御を行う表示制御ステップと、を有する表示制御方法。
（１０）設定値の切り替えが有効か又は無効かを判定する第１判定ステップと、現在の設定値を判定する第２判定ステップと、前記第１判定ステップで有効と判定された場合は、前記第２判定ステップで判定された現在の設定値に対応する設定値の切り替えを表す切り替えボタンを予め定められた表示領域に表示する制御を行い、前記第１判定ステップで無効と判定された場合は、前記表示領域に前記設定の切り替えを表す切り替えボタンを表示しない制御を行う表示制御ステップと、を情報処理装置に実行させる表示制御プログラム。
（１１）前記第２判定ステップは、前記第１判定ステップで前記設定値の切り替えが有効と判定された場合に現在の設定値を判定する、（９）に記載の表示制御方法。
（１２）前記設定値の切り替えを表す切り替えボタンは、現在の設定値と切り替わり先の設定値と切り替わり方向とを表すボタンであることを特徴とする、（９）に記載の表示制御方法。
（１３）設定値の切り替えが有効か又は無効かに関する情報及び現在の設定値に関する情報を管理情報として記憶する記憶ステップを更に有し、前記第１の判定ステップ及び前記第２の判定ステップは前記管理情報を参照して、それぞれ設定値の切り替えが有効か又は無効かの判定及び現在の設定値の判定を行う、（９）に記載の表示制御方法。
（１４）第１の無線通信方式及び第２の無線通信方式で外部通信装置と接続可能な携帯端末装置で用いられる表示制御方法であって、前記第１の無線通信方式から前記第２の無線通信方式への切り替えが有効か又は無効かを判定する第１判定ステップと、前記第１判定ステップで有効と判定された場合は、外部通信装置との無線通信用に現在設定されている無線通信方式が、前記第１の無線通信方式か前記第２の無線通信方式のどちらであるかを判定する第２判定ステップと、前記第１判定ステップで有効と判定された場合は、前記第２判定ステップで判定された現在設定されている無線通信方式に対応する現在設定されている無線通信方式から他の無線通信方式への切り替えを表すボタンを予め定められた表示領域に表示する制御を行い、前記第１判定ステップで無効と判定された場合は、前記表示領域に無線通信方式の切り替えを示すボタンを表示しない制御を行う表示制御ステップと、を有する表示制御方法。
（１５）前記第１判定ステップで前記設定値の切り替えが有効と判定された場合に現在の設定値を判定する前記第２判定ステップを情報処理装置に実行させる、（１０）に記載の表示制御プログラム。
（１６）設定値の切り替えが有効か又は無効かに関する情報及び現在の設定値に関する情報を管理情報として記憶する記憶ステップを更に情報処理装置に実行させ、前記管理情報を参照して、前記設定値の切り替えが有効か又は無効かの判定処理及び現在の設定値の判定処理を計算処理装置に実行させることを特徴とする、（１０）に記載の表示制御プログラム。
（１７）ユーザからの切り替え指示を入力する入力手段を更に具備し、前記判定処理手段は、前記指示に切り替え指示に基づいて使用する無線通信方式を現在の無線通信方式から他の無線通信方式に切り替える制御を行う、（５）に記載の携帯端末装置。
（１８）設定値の切り替えが有効か又は無効かに関する第１の判定処理と切り替え先の設定値に関する第２の判定処理とを行う判定処理手段と、設定値の切り替えを表す切り替えボタンを記憶する記憶手段と、画面を表示する表示手段と、前記第１の判定処理で有効と判定された場合は、前記第２の判定処理で判定された切り替え先の設定値に対応する前記切り替えボタンを前記画面の所定の表示領域に表示する制御を行い、前記第１の判定処理で無効と判定された場合は、前記所定の表示領域に前記切り替えボタンを表示しない制御を行う表示制御手段と、を具備する携帯端末装置。
（１９）前記判定処理手段は、設定値の切り替えが有効か又は無効かに関する第１の判定処理を行い、前記第１の判定処理で有効と判定された場合に切り替え先の設定値に関する第２の判定処理を行う、（１８）に記載の携帯端末装置。
【国際調査報告】
2012140857.tif 000013
2012140857.tif 000014